【手続補正書】
【提出日】平成16年9月10日(2004.9.10)
【手続補正１】
【補正対象書類名】明細書
【補正対象項目名】発明の名称
【補正方法】変更
【補正の内容】
【発明の名称】フォーカルプレーンシャッタユニット及びカメラ
【手続補正２】
【補正対象書類名】明細書
【補正対象項目名】特許請求の範囲
【補正方法】変更
【補正の内容】
【特許請求の範囲】
【請求項１】
撮影レンズを通過し、フォーカルプレーンシャッタにより反射した光を受光する測光手段を有し、
前記測光手段は、前記フォーカルプレーンシャッタが組み付けられているシャッタ地板と一体的に配置されたことを特徴とするフォーカルプレーンシャッタユニット。
【請求項２】
撮影レンズを通過し、フォーカルプレーンシャッタにより反射した光を受光する測光手段により測光を行うようにしたカメラにおいて、
前記フォーカルプレーンシャッタを有するフォーカルプレーンシャッタユニットを備え、
前記フォーカルプレーンシャッタユニットに前記測光手段を一体的に配置したことを特徴とするカメラ。
【請求項３】
前記測光手段をカメラの撮影レンズ側から見て、アパーチャの短軸のほぼ中央部横位置に配置したことを特徴とする請求項２に記載のカメラ。
【請求項４】
前記フォーカルプレーンシャッタにより反射した光が前記測光手段に入射するまでの光路中に測光範囲を設定するための測光絞り手段を配置したことを特徴とする請求項２または請求項３に記載のカメラ。
【請求項５】
前記測光絞り手段による測光範囲を表示する測光範囲表示手段をファインダ内に設けたことを特徴とする請求項４に記載のカメラ。
【手続補正３】
【補正対象書類名】明細書
【補正対象項目名】０００１
【補正方法】変更
【補正の内容】
【０００１】
【発明の属する技術分野】
この発明は、フォーカルプレーンシャッタを備えるフォーカルプレーンシャッタユニット及びカメラに関するものである。
【手続補正４】
【補正対象書類名】明細書
【補正対象項目名】０００６
【補正方法】変更
【補正の内容】
【０００６】
この発明は、かかる実情に鑑みてなされたもので、請求項１乃至請求項５に記載の発明は正確な測光が可能なフォーカルプレーンシャッタユニット及びカメラを提供することを目的としている。
【手続補正５】
【補正対象書類名】明細書
【補正対象項目名】０００８
【補正方法】変更
【補正の内容】
【０００８】
請求項１に記載の発明は、『撮影レンズを通過し、フォーカルプレーンシャッタにより反射した光を受光する測光手段を有し、
前記測光手段は、前記フォーカルプレーンシャッタが組み付けられているシャッタ地板と一体的に配置されたことを特徴とするフォーカルプレーンシャッタユニット。』である。
【手続補正６】
【補正対象書類名】明細書
【補正対象項目名】０００９
【補正方法】変更
【補正の内容】
【０００９】
この請求項１に記載の発明によれば、フォーカルプレーンシャッタユニットに測光手段を一体的に配置したから、フォーカルプレーンシャッタと測光手段がユニット状態で位置調整が可能であるため、カメラボディへの組み込み前に不良の検出が可能で且つ高精度に組み付けることができる。
【手続補正７】
【補正対象書類名】明細書
【補正対象項目名】００１０
【補正方法】変更
【補正の内容】
【００１０】
請求項２に記載の発明は、『撮影レンズを通過し、フォーカルプレーンシャッタにより反射した光を受光する測光手段により測光を行うようにしたカメラにおいて、
前記フォーカルプレーンシャッタを有するフォーカルプレーンシャッタユニットを備え、
前記フォーカルプレーンシャッタユニットに前記測光手段を一体的に配置したことを特徴とするカメラ。』である。
【手続補正８】
【補正対象書類名】明細書
【補正対象項目名】００１１
【補正方法】変更
【補正の内容】
【００１１】
この請求項２に記載の発明によれば、フォーカルプレーンシャッタユニットに測光手段を一体的に配置したから、フォーカルプレーンシャッタと測光手段がユニット状態で位置調整が可能であるため、カメラボディへの組み込み前に不良の検出が可能で且つ高精度に組み付けることができる。
【手続補正９】
【補正対象書類名】明細書
【補正対象項目名】００１２
【補正方法】変更
【補正の内容】
【００１２】
請求項３に記載の発明は、『前記測光手段をカメラの撮影レンズ側から見て、アパーチャの短軸のほぼ中央部横位置に配置したことを特徴とする請求項２に記載のカメラ。』である。
【手続補正１０】
【補正対象書類名】明細書
【補正対象項目名】００１３
【補正方法】変更
【補正の内容】
【００１３】
この請求項３に記載の発明によれば、測光手段をカメラの撮影レンズ側から見て、アパーチャの短軸のほぼ中央部横位置に配置し、測光範囲とアパーチャの方向を合わせることにより、測光効率が良くなる。
【手続補正１１】
【補正対象書類名】明細書
【補正対象項目名】００１４
【補正方法】変更
【補正の内容】
【００１４】
請求項４に記載の発明は、『前記フォーカルプレーンシャッタにより反射した光が前記測光手段に入射するまでの光路中に測光範囲を設定するための測光絞り手段を配置したことを特徴とする請求項２または請求項３に記載のカメラ。』である。
【手続補正１２】
【補正対象書類名】明細書
【補正対象項目名】００１５
【補正方法】変更
【補正の内容】
【００１５】
この請求項４に記載の発明によれば、フォーカルプレーンシャッタにより反射した光が測光手段に入射するまでの光路中に測光範囲を設定し、可変測光を可能とすることにより、撮影者が場面により測光範囲を使い分けることが可能である。
【手続補正１３】
【補正対象書類名】明細書
【補正対象項目名】００１６
【補正方法】変更
【補正の内容】
【００１６】
請求項５に記載の発明は、『前記測光絞り手段による測光範囲を表示する測光範囲表示手段をファインダ内に設けたことを特徴とする請求項４に記載のカメラ。』である。
【手続補正１４】
【補正対象書類名】明細書
【補正対象項目名】００１７
【補正方法】変更
【補正の内容】
【００１７】
この請求項５に記載の発明によれば、測光絞り手段による測光範囲を表示する測光範囲表示手段をファインダ内に設け、測光範囲がファインダ内に表示されるため、撮影者の測光範囲の選択が容易となる。
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】変更
【補正の内容】
【００２０】
【発明の実施の形態】
以下、この発明のフォーカルプレーンシャッタユニット及びカメラの一実施の形態を図面に基づいて詳細に説明する。
【手続補正１８】
【補正対象書類名】明細書
【補正対象項目名】００３４
【補正方法】変更
【補正の内容】
【００３４】
また、図１０に示すように、フォーカルプレーンシャッタ９０により反射した光が測光手段９１に入射するまでの光路中にレンズ９３と測光絞り手段９４が配置されている。測光絞り手段９４は、ユーザがボタンスイッチ等による操作により機械的機構あるいは電気的機構により構成される測光絞り可変手段９５により測光絞りを可変することができる。また、測光手段９１をカメラの撮影レンズ側から見て、アパーチャ９２の短軸のほぼ中央部横位置に配置しており、測光範囲とアパーチャの方向を合わせることにより、測光効率が良くなる。
【手続補正１９】
【補正対象書類名】明細書
【補正対象項目名】００３６
【補正方法】変更
【補正の内容】
【００３６】
また、図１１及び図１２に示すように、測光絞り手段９４による測光範囲を表示する測光範囲表示手段９６をファインダ内に設けている。図１１の実施の形態では、液晶ファインダ９７ａが用いられ、液晶ファインダ９７ａにより点線９７ａ１より楕円形を描き測光範囲を表示する。図１２の実施の形態でも液晶ファインダ９７ａが用いられ、液晶ファインダ９７ａにより平均測光９７ａ２、中央重点測光９７ａ３及びスポット測光９７ａ４により測光範囲を表示する。
【手続補正２０】
【補正対象書類名】明細書
【補正対象項目名】００３８
【補正方法】変更
【補正の内容】
【００３８】
測光及びシャッタ部構造
このカメラは、図１３及び図１４に示すように、撮影レンズ１００を通過し、フォーカルプレーンシャッタ９０により反射した光を受光する測光手段９１により測光を行う。図１３は測光及びシャッタ部の斜視図、図１４は測光及びシャッタ部の背面図である。
【手続補正２１】
【補正対象書類名】明細書
【補正対象項目名】００４４
【補正方法】変更
【補正の内容】
【００４４】
フォーカルプレーンシャッタユニット１１０に設けられるフォーカルプレーンシャッタ９０は、シャッタ先幕と、シャッタ後幕を有している。シャッタ先幕、後幕には、それぞれ電磁石が付随しており、後述するシャッタチャージユニット１４０にてシャッタチャージ状態にセットされる。この状態においてはシャッタ開口１３２はシャッタ先幕とシャッタ後幕の２枚の幕により覆われている。フィルムに露光を行う場合には、まずそれぞれの電磁石の通電によりシャッタ先幕、シャッタ後幕を電気的に保持する。次に、シャッタチャージユニット１４０にて、シャッタチャージ状態の機械的なセット状態を解除する。これにより、シャッタ先幕はシャッタ開口１３２を覆った状態、シャッタ後幕はシャッタ開口１３２を覆わない退避位置となり、シャッタ先幕及びシャッタ後幕が走行可能な状態となる。その後、シャッタ先幕の先幕電磁石１３８の通電を停止する事で、バネにより、シャッタ先幕が走行し、露光開始となる。次いで、シャッタ後幕の後幕電磁石１３９の通電を停止することによって、バネにより、シャッタ後幕が走行し、露光終了となる。
【手続補正２２】
【補正対象書類名】明細書
【補正対象項目名】００６８
【補正方法】変更
【補正の内容】
【００６８】
このようにカメラは、フォーカルプレーンシャッタ９０のＸスイッチＳ３の信号を検出するＸスイッチ信号検出手段と、ＸスイッチＳ３の信号がシャッタレリーズ後所定時間内に得られないときにエラー処理を行う制御手段を有し、これらのＸスイッチ信号検出手段及び制御手段はＣＰＵ２００により構成される。このＸスイッチＳ３はシャッタ先幕が完全に走り過ぎた時にオンし、このＸスイッチＳ３がシャッタ先幕を走らせた後、一定時間の間にオンしなければ、シャッタ先幕に何らかの不具合が生じたとしてエラーを検出することができ、フォーカルプレーンシャッタ９０に何らかのエラーが生じて、撮影不可能となった場合でもエラー状態を液晶等で表示したり警告音を鳴らすことで撮影者が容易に感知することができる。
【手続補正２３】
【補正対象書類名】明細書
【補正対象項目名】００９７
【補正方法】変更
【補正の内容】
【００９７】
ステップｃ２２でオートロード条件が揃っていない場合には、スイッチＳ２がオンか否かの判断を行ない（ステップｃ２５）、スイッチＳ２がオンでない場合には、スイッチＳ１がオフか否かの判断を行なう（ステップｃ２６）。スイッチＳ１がオフの場合には、ステップｃ５へ移行し、オンの場合は１００ｍｓ経過までスイッチＳ２がオンされないで、しかもスイッチＳ１がオフされないとステップｃ１４へ移行する（ステップｃ２７）。
【手続補正２４】
【補正対象書類名】明細書
【補正対象項目名】０１０６
【補正方法】変更
【補正の内容】
【０１０６】
ステップｄ１０でケーブルレリーズがオンでない場合には、リワインドスイッチが入力された否かの判断を行ない（ステップｄ１１）、リワインドスイッチが入力されない場合にはステップｄ１へ移行し、リワインドスイッチが入力された場合には、リワインドを行なってリワインドが正常に行われたか否かを判断し（ステップｄ１２）、リワインドに失敗した場合エラー処理を行なう。リワインドが正常に終了するとパワーオンか否かの判断を行ない（ステップｄ１３）、パワーオンでない場合にはスリープルーチンへ移行し、パワーオンの場合にはメインオンスリープへ移行する。
【手続補正２５】
【補正対象書類名】明細書
【補正対象項目名】０１１１
【補正方法】変更
【補正の内容】
【０１１１】
連写でない場合には、シャッタチャージを行ってシャッタチャージが正常に行われたか否かの判断を行ない（ステップｅ１３）、シャッタチャージに失敗した場合にはエラー処理を行ない、シャッタチャージが正常に行なわれると１コマのフィルム給送を行ってフィルム給送が正常に行われたか否かの判断を行なう（ステップｅ１４）。フィルム給送に失敗した場合にはエラー処理を行ない、給送エラーでない場合、最終駒突っ張りかどうかの判断を行ない（ステップｅ１５）、最終駒突っ張りの場合にはステップｅ２０へ移行し、最終駒突っ張りでない場合にはスイッチＳ２とケーブルレリーズのオフ待ちを行ない（ステップｅ１６）、図２５に示す測光ルーチンへ移行する。
【手続補正２６】
【補正対象書類名】明細書
【補正対象項目名】０１３５
【補正方法】変更
【補正の内容】
【０１３５】
【発明の効果】
前記のように、請求項１に記載の発明では、フォーカルプレーンシャッタユニットに測光手段を一体的に配置したから、フォーカルプレーンシャッタと測光手段がユニット状態で位置調整が可能であるため、カメラボディへの組み込み前に不良の検出が可能で且つ高精度に組み付けることができる。
【手続補正２７】
【補正対象書類名】明細書
【補正対象項目名】０１３６
【補正方法】変更
【補正の内容】
【０１３６】
請求項２に記載の発明では、フォーカルプレーンシャッタユニットに測光手段を一体的に配置したから、フォーカルプレーンシャッタと測光手段がユニット状態で位置調整が可能であるため、カメラボディへの組み込み前に不良の検出が可能で且つ高精度に組み付けることができる。
【手続補正２８】
【補正対象書類名】明細書
【補正対象項目名】０１３７
【補正方法】変更
【補正の内容】
【０１３７】
請求項３に記載の発明では、測光手段をカメラの撮影レンズ側から見て、アパーチャの短軸のほぼ中央部横位置に配置し、測光範囲とアパーチャの方向を合わせることにより、測光効率が良くなる。
【手続補正２９】
【補正対象書類名】明細書
【補正対象項目名】０１３８
【補正方法】変更
【補正の内容】
【０１３８】
請求項４に記載の発明では、フォーカルプレーンシャッタにより反射した光が測光手段に入射するまでの光路中に測光範囲を設定し、可変測光を可能とすることにより、撮影者が場面により測光範囲を使い分けることが可能である。
【手続補正３０】
【補正対象書類名】明細書
【補正対象項目名】０１３９
【補正方法】変更
【補正の内容】
【０１３９】
請求項５に記載の発明では、測光絞り手段による測光範囲を表示する測光範囲表示手段をファインダ内に設け、測光範囲がファインダ内に表示されるため、撮影者の測光範囲の選択が容易となる。
【手続補正３１】
【補正対象書類名】明細書
【補正対象項目名】０１４０
【補正方法】削除
【補正の内容】
【手続補正３２】
【補正対象書類名】明細書
【補正対象項目名】図面の簡単な説明
【補正方法】変更
【補正の内容】
【図面の簡単な説明】
【図１】
カメラの正面図である。
【図２】
カメラの上面図である。
【図３】
カメラの底面図である。
【図４】
カメラの背面図である。
【図５】
カメラの右側面図である。
【図６】
カメラの左側面図である。
【図７】
カメラを正面から見た内部構造を示す図である。
【図８】
カメラを上面から見た内部構造を示す図である。
【図９】
測光手段の配置を示す図である。
【図１０】
可変測光範囲を示す図である。
【図１１】
ファインダ内表示を示す図である。
【図１２】
ファインダ内表示の他の実施の形態を示す図である。
【図１３】
測光及びシャッタ部の斜視図である。
【図１４】
測光及びシッャタ部の背面図である。
【図１５】
フォーカルプレーンシャッタの正面図である。
【図１６】
シャッタチャージ部の側面図である。
【図１７】
カメラの制御回路のブロック図である。
【図１８】
カメラ動作のタイミングチャートである。
【図１９】
フォーカルプレーンシャッタの動作フローチャートである。
【図２０】
フォーカルプレーンシャッタの動作タイミングチャートである。
【図２１】
メインルーチンである。
【図２２】
シャッタチャージ状態の検出を説明する図である。
【図２３】
シャッタチャージ状態の検出を説明する図である。
【図２４】
イニシャル動作のサブルーチンである。
【図２５】
測光ルーチンである。
【図２６】
メインオン後１５秒経過して、測光が終了した後のルーチンである。
【図２７】
実露光ルーチンである。
【図２８】
シャッタチャージ及びフィルム給送のサブルーチンである。
【図２９】
シャッタドライブのサブルーチンである。
【図３０】
従来の測光範囲を示す図である。
【手続補正３３】
【補正対象書類名】図面
【補正対象項目名】図２１
【補正方法】変更
【補正の内容】
【図２１】
2001021938.tif 000001
【手続補正３４】
【補正対象書類名】図面
【補正対象項目名】図２３
【補正方法】変更
【補正の内容】
【図２３】
2001021938.tif 000002
【手続補正３５】
【補正対象書類名】図面
【補正対象項目名】図２４
【補正方法】変更
【補正の内容】
【図２４】
2001021938.tif 000003
【手続補正３６】
【補正対象書類名】図面
【補正対象項目名】図２５
【補正方法】変更
【補正の内容】
【図２５】
2001021938.tif 000004